(57)【要約】【課題】  セキュリティ制御に要する時間を短縮し、システムの負担を軽減することが可能な情報記録装置を提供する。【解決手段】  音楽データ等のコンテンツのチェックアウトが行われる際に、コンテンツハッシュ算出部１２１で生成されたコンテンツハッシュがハッシュ情報保持部１２２に保持され、チェックインが行われる際に、ハッシュ情報保持部１２２に保持されたコンテンツハッシュが出力される。【選択図】  図１
2006190185.tif 000002
【特許請求の範囲】
【請求項１】
他の装置から入力されたコンテンツデータをデータ用記録媒体に記録する情報記録装置であって、
コンテンツデータが前記データ用記録媒体に記録される際に、そのコンテンツデータを用いて、そのコンテンツデータを特定する一意情報を生成する一意情報生成部と、
生成された一意情報を一意情報用記録媒体に保持させるとともに、前記他の装置において前記データ用記録媒体に記録されたコンテンツデータの特定が行われる場合に、そのコンテンツデータについての一意情報を前記一意情報用記録媒体から読み出して、前記他の装置に出力する一意情報制御部と、
を備えたことを特徴とする情報記録装置。
【請求項２】
請求項１の情報記録装置であって、
前記一意情報用記録媒体は、当該情報記録装置に設けられた揮発性メモリ、または不揮発性メモリであることを特徴とする情報記録装置。
【請求項３】
請求項２の情報記録装置であって、
前記データ用記録媒体は、交換可能な記録媒体であって、
前記一意情報制御部は、コンテンツデータが記録されるデータ用記録媒体を識別する識別情報に対応付けて、前記コンテンツデータについての一意情報の保持および出力が行われるように構成されていることを特徴とする情報記録装置。
【請求項４】
請求項３の情報記録装置であって、
前記一意情報制御部は、新たな一意情報を記録するために、既に記録されている一意情報を消去する場合に、データ用記録媒体の最終使用日時が古い、使用頻度が少ない、または当該情報記録装置の使用者が指定したデータ用記録媒体に記録されたコンテンツデータについての一意情報を消去するように構成されていることを特徴とする情報記録装置。
【請求項５】
請求項１の情報記録装置であって、
前記一意情報制御部は、前記一意情報用記録媒体とデータ用記録媒体とを兼用し、前記一意情報を前記データ用記録媒体に記録するように構成されていることを特徴とする情報記録装置。
【請求項６】
請求項１の情報記録装置であって、
前記一意情報制御部は、データ用記録媒体に記録されたデータが読み出し可能かどうかにかかわらず、前記一意情報用記録媒体に保持されている前記コンテンツデータについての一意情報を出力するように構成されていることを特徴とする情報記録装置。
【発明の詳細な説明】
【技術分野】
【０００１】
本発明は、記録媒体に記録されたコンテンツを特定するための一意情報を出力し、著作権保護のようなセキュリティ制御を行う情報記録装置に関するものである。
【背景技術】
【０００２】
近年、パーソナルコンピュータ（パソコン）と、例えばＭＤ（Ｍｉｎｉ  Ｄｉｓｃ）機器のような情報記録再生装置（情報記録装置）との間をＵＳＢ（Ｕｎｉｖｅｒｓａｌ  Ｓｅｒｉａｌ  Ｂｕｓ）ケーブルで接続することによって、パソコン内の音楽データ（コンテンツ）をＭＤ機器に転送し、ＭＤディスクのような記録媒体にコンテンツを複製して利用するようになってきた。前記のような複製が行われるＭＤ機器では、著作権保護のようなセキュリティ制御が行われるようになっている。
【０００３】
前記のような情報記録装置としては、強固な著作権保護技術が特徴の１つであるＮｅｔＭＤと呼ばれる規格に基づいて、無秩序なコンテンツの拡散を防止する情報記録装置が知られている。このＮｅｔＭＤ規格の著作権保護技術は、チェックイン・チェックアウト機能と呼ばれている。ここで、チェックアウトとは、パソコンからコンテンツを情報記録装置に転送し、記録媒体に複製する際の手順である。また、チェックインとは、複製されたコンテンツを消去する際の手順である。
【０００４】
従来の情報記録装置は、チェックアウト時、チェックイン時に以下のように動作するようになっている。
【０００５】
まず、チェックアウト時には、コンテンツをパソコンから情報記録装置に転送し、記録媒体に複製させる。次に情報記録装置が複製されたコンテンツを記録媒体から読み出して、そのコンテンツを特定するための一意情報（コンテンツハッシュ）を生成してパソコンに出力し、パソコンがコンテンツハッシュとコンテンツとを対応付けてパソコンに保存する。
【０００６】
次に、チェックイン時には、情報記録装置が記録媒体のコンテンツを読み出して前記コンテンツハッシュを生成し、パソコンに送る。パソコンは、コンテンツと対応付けて保存してあるコンテンツハッシュとＭＤ機器から送られてきたコンテンツハッシュを比較することによって、パソコンが保存しているコンテンツと消去するコンテンツとが同一か否かを確認する。これにより、パソコンから転送したコンテンツと同一のコンテンツが消去されたことが保証される。（例えば、特許文献１を参照。）
【特許文献１】特開２００３−３３８１２５号公報
【発明の開示】
【発明が解決しようとする課題】
【０００７】
前記のように、チェックイン時、およびチェックアウト時には、記録媒体からコンテンツが読み出され、読み出されたコンテンツを基に、コンテンツハッシュが生成されている。この結果、チェックイン、またはチェックアウトに要する時間全体のうちの多くの時間が、このコンテンツの読み出しの時間に費やされ、特に、複数のコンテンツが続けてチェックインされる場合には、コンテンツを読み出す動作が複数回実施されるため、読み出す動作時間がシステムの負担になっている。
【０００８】
本発明は、前記の問題に着目してなされたものであり、セキュリティ制御に要する時間を短縮し、システムの負担を軽減することが可能な情報記録装置を提供することを課題とする。
【課題を解決するための手段】
【０００９】
前記の課題を解決するため、請求項１の発明は、
他の装置から入力されたコンテンツデータをデータ用記録媒体に記録する情報記録装置であって、
コンテンツデータが前記データ用記録媒体に記録される際に、そのコンテンツデータを用いて、そのコンテンツデータを特定する一意情報を生成する一意情報生成部と、
生成された一意情報を一意情報用記録媒体に保持させるとともに、前記他の装置において前記データ用記録媒体に記録されたコンテンツデータの特定が行われる場合に、そのコンテンツデータについての一意情報を前記一意情報用記録媒体から読み出して、前記他の装置に出力する一意情報制御部と、
を備えたことを特徴とする。
【００１０】
これにより、データ用記録媒体に記録されたコンテンツデータを逐一読み出して前記一意情報を生成することなく高速に出力でき、コンテンツデータの特定に要する時間を短縮できる。
【００１１】
また、請求項２の発明は、
請求項１の情報記録装置であって、
前記一意情報用記録媒体は、当該情報記録装置に設けられた揮発性メモリ、または不揮発性メモリであることを特徴とする。
【００１２】
これにより、前記一意情報が情報記録装置に保持されるので、データ用記録媒体に記録されたコンテンツデータを逐一読み出して前記一意情報を生成することなく高速に出力でき、コンテンツデータの特定に要する時間を短縮できる。
【００１３】
また、請求項３の発明は、
請求項２の情報記録装置であって、
前記データ用記録媒体は、交換可能な記録媒体であって、
前記一意情報制御部は、コンテンツデータが記録されるデータ用記録媒体を識別する識別情報に対応付けて、前記コンテンツデータについての一意情報の保持および出力が行われるように構成されていることを特徴とする。
【００１４】
これにより、複数のデータ用記録媒体を交換して使用しても、交換したデータ用記録媒体のコンテンツデータに対応した前記一意情報を高速に出力でき、コンテンツデータの特定に要する時間を短縮できる。
【００１５】
また、請求項４の発明は、
請求項３の情報記録装置であって、
前記一意情報制御部は、新たな一意情報を記録するために、既に記録されている一意情報を消去する場合に、データ用記録媒体の最終使用日時が古い、使用頻度が少ない、または当該情報記録装置の使用者が指定したデータ用記録媒体に記録されたコンテンツデータについての一意情報を消去するように構成されていることを特徴とする。
【００１６】
これにより、一意情報用記録媒体の空き容量がなくなった場合などに、一意情報用記録媒体が適切なコンテンツに対しての一意情報を保持でき、一意情報の出力を高速化することが可能になる。
【００１７】
また、請求項５の発明は、
請求項１の情報記録装置であって、
前記一意情報制御部は、前記一意情報用記録媒体とデータ用記録媒体とを兼用し、前記一意情報を前記データ用記録媒体に記録するように構成されていることを特徴とする。
【００１８】
これにより、データ用記録媒体に記録した全てのコンテンツデータについての一意情報を高速に出力できる。
【００１９】
また、請求項６の発明は、
請求項１の情報記録装置であって、
前記一意情報制御部は、データ用記録媒体に記録されたデータが読み出し可能かどうかにかかわらず、前記一意情報用記録媒体に保持されている前記コンテンツデータについての一意情報を出力するように構成されていることを特徴とする。
【００２０】
これにより、前記一意情報の生成に必要なコンテンツデータが削除された場合や、読み出せないような場合などでも、前記一意情報を高速に出力できる。
【発明の効果】
【００２１】
本発明によれば、コンテンツハッシュなどの一意情報を出力する場合、逐一記録媒体からコンテンツを読み出して前記一意情報を生成する必要がないので、セキュリティ制御に要する時間を短縮し、システムの負担を軽減することが可能になり、さらに何らかの原因で、前記一意情報の生成に必要なデータが削除された場合や、読み出せないような場合などでも、前記一意情報を出力できる。
【発明を実施するための最良の形態】
【００２２】
以下、本発明の実施形態として、例えばＮｅｔＭＤ規格のチェックイン・チェックアウトと呼ばれる機能に基づいて、パソコンから転送された音楽データの複製、前記コンテンツハッシュの生成、および生成したコンテンツハッシュを出力する装置の例を図面を参照しながら説明する。
【００２３】
《発明の実施形態１》
（情報記録再生装置の構成）
発明の実施形態１に係る情報記録再生装置は、例えばハードディスクのような交換不可能な記録媒体に対し、音楽データの複製を行う装置の例である。
【００２４】
この情報記録再生装置１００は、図１に示すように、ＮｅｔＭＤ制御部１１０、ユーザインターフェイス制御部１２０、記録装置１３０、およびシステム制御部１４０を備えて構成されている。これらの構成要素のうち、ユーザインターフェイス制御部１２０以外は、従来の情報記録再生装置にも備えられている構成要素である。具体的には、ユーザインターフェイス制御部１２０の後述するハッシュ情報保持部１２２、およびハッシュ情報制御部１２３の部分が新たな構成要素である。
【００２５】
ＮｅｔＭＤ制御部１１０は、ＵＳＢケーブル４１０介して通信を行うＵＳＢインタフェースを備え、パソコン４００とのデータ等の通信を行うようになっている。
【００２６】
ユーザインターフェイス制御部１２０は、コンテンツハッシュ算出部１２１、ハッシュ情報保持部１２２、ハッシュ情報制御部１２３、送受信部１２４、および送受信部１２５を備えて構成され、コンテンツハッシュの生成、および保持を行うようになっている。
【００２７】
コンテンツハッシュ算出部１２１は、記録媒体から読み出された音楽データ（具体的には、音楽データ中の１／２位置、および３／４位置のサウンドグループ情報）を用いて、音楽データを特定するための一意情報（ユニークな情報）であるコンテンツハッシュを生成するようになっている。
【００２８】
ハッシュ情報保持部１２２は、例えば、揮発性メモリ、または不揮発性メモリによって構成され、前記コンテンツハッシュを保持するようになっている。
【００２９】
ハッシュ情報制御部１２３は、ハッシュ情報保持部１２２に対するコンテンツハッシュの書き込み、および読み出しの制御を行うようになっている。
【００３０】
送受信部１２４は、ＮｅｔＭＤ制御部１１０との間でデータの送受を行うようになっている。また、送受信部１２５は、システム制御部１４０（送受信部１４２）との間でデータの送受を行うようになっている。
【００３１】
記録装置１３０は、ハードディスクのような交換不可能な記録媒体に対し、データの記録、および読み出しを行うようになっている。
【００３２】
システム制御部１４０は、情報入出力部１４１、およびコンテンツデータの送受を行う送受信部１４２を備えて構成され、情報入出力部１４１によって、記録装置１３０の行う前記データの記録、および読み出しを制御するようになっている。
【００３３】
パソコン４００は、チェックアウト時に、音楽データの転送、および情報記録装置から入力されたコンテンツハッシュの保存を行い、チェックイン時に、複製元の音楽データと消去する音楽データとの同一性の確認を行うようになっている。
【００３４】
（情報記録再生装置の動作）
まず、チェックアウト時の動作について説明する。なお、以下の説明においては、通常行われる認証などのやりとりは省略してある。
【００３５】
パソコン４００は、ＵＳＢケーブル４１０を介して、トラック属性、データサイズ、およびトラックモード等の詳細情報を情報記録再生装置１００のＮｅｔＭＤ制御部１１０に送る。
【００３６】
ＮｅｔＭＤ制御部１１０は、前記詳細情報をユーザインターフェイス制御部１２０（送受信部１２４）に出力し、ユーザインターフェイス制御部１２０は、送受信部１２５を介して、前記詳細情報をシステム制御部１４０（送受信部１４２）に出力する。そして、システム制御部１４０の情報入出力部１４１は、前記詳細情報を記録装置１３０に送る。
【００３７】
次に、パソコン４００は、複製する音楽データをＮｅｔＭＤ制御部１１０に転送する。転送された音楽データは、前記詳細情報と同様にして、システム制御部１４０に入力され情報入出力部１４１がＮｅｔＭＤ規格に基づいて、音楽データを記録装置１３０の記録媒体に記録する。
【００３８】
１曲の音楽データの複製が終わると、コンテンツハッシュ算出部１２１は、システム制御部１４０に対し、記録媒体に記録された音楽データのうちの１／２位置（Ｐ１  Ｄａｔａ）、および３／４位置（Ｐ２  Ｄａｔａ）のサウンドグループ情報の読み出しを要求する。システム制御部１４０は、この要求に応じ、記録装置１３０を制御することによって、前記サウンドグループ情報を読み出し、ユーザインターフェイス制御部１２０に出力する。コンテンツハッシュ算出部１２１は、読み出された前記サウンドグループ情報から一意的に求まるコンテンツハッシュを生成し、ハッシュ情報制御部１２３に出力する。ハッシュ情報制御部１２３は、例えば、曲名や曲のＩＤのような記録媒体上の音楽データとコンテンツハッシュとを結びつける情報と対応付けて、コンテンツハッシュをハッシュ情報保持部１２２に保持させる一方、ＮｅｔＭＤ制御部１１０を介して、パソコン４００に出力する。
【００３９】
パソコン４００は、コンテンツハッシュをパソコン４００が保存している音楽データと対応付けて保存する。
【００４０】
なお、複数の音楽データが続けてチェックアウトされる場合は、チェックアウトされるそれぞれの音楽データのコンテンツハッシュが前記のように生成され、パソコン４００に出力される一方、音楽データと対応付けてハッシュ情報保持部１２２に保持される。
【００４１】
次に、チェックアウトされた音楽データをチェックインする動作について説明する。
【００４２】
図２は、チェックイン時におけるパソコン４００、および情報記録再生装置１００の各構成要素間のフロー制御を示すものである。各制御ステップは、Ｓ１０１、Ｓ１０２、Ｓ１０３、Ｓ１０４の順に実行され、各制御ステップの動作は、以下の通りである。
【００４３】
［Ｓ１０１］  パソコン４００は、ＮｅｔＭＤ制御部１１０に対し、コンテンツハッシュを要求する情報を送る。
【００４４】
［Ｓ１０２］  ＮｅｔＭＤ制御部１１０は、この要求をユーザインターフェイス制御部１２０に出力する。
【００４５】
［Ｓ１０３］  ユーザインターフェイス制御部１２０のハッシュ情報制御部１２３は、前記の要求に応答し、ハッシュ情報保持部１２２からコンテンツハッシュを読み出し、ＮｅｔＭＤ制御部１１０に出力する。
【００４６】
［Ｓ１０４］  ＮｅｔＭＤ制御部１１０は、このコンテンツハッシュをパソコン４００に出力する。
【００４７】
Ｓ１０４の制御ステップが実施された後、パソコン４００は、音楽データに対応付けて保存したコンテンツハッシュと情報記録再生装置１００（ＮｅｔＭＤ制御部１１０）が出力したコンテンツハッシュとを比較することによって、パソコンが保存している音楽データと記録媒体に記録された音楽データの同一性を確認する。
【００４８】
なお、複数の音楽データが、続けてチェックインされる場合は、それぞれの音楽データに対して前記Ｓ１０１以降の動作が実行される。
【００４９】
前記のように、本実施形態によれば、記録媒体に記録された音楽データのコンテンツハッシュをパソコンに出力する場合、逐一記録媒体から音楽データを読み出してコンテンツハッシュを生成する必要がないので、セキュリティ制御に要する時間を短縮し、システムの負担を軽減することが可能になる。
【００５０】
また、何らかの原因で、コンテンツハッシュの生成に必要なデータが記録装置１３０の記録媒体から削除された場合や、読み出せないような場合などでも、ハッシュ情報保持部１２２に保持されたコンテンツハッシュを出力することによって、チェックインが可能になる。
【００５１】
《発明の実施形態２》
発明の実施形態２に係る情報記録再生装置２００は、実施形態１で示したように記録装置１３０にハードディスクのように交換不可能な記録媒体を用いるのではなく、例えば、ＭＤディスクのような交換可能な記録媒体を用いる例である。なお、以下の実施形態において前記実施形態１等と同様の機能を有する構成要素については、同一の符号を付して説明を省略する。
【００５２】
情報記録再生装置２００は、図３に示すように、実施形態１と比べ、ユーザインターフェイス制御部１２０に代えて、ユーザインターフェイス制御部２２０を備えて構成されている点が異なっている。このユーザインターフェイス制御部２２０は、コンテンツハッシュ算出部１２１、送受信部１２４、送受信部１２５、ディスクＩＤ・ハッシュ情報保持部２２２、ハッシュ情報制御部２２３、およびディスクＩＤ判別部２２４を備えている。
【００５３】
ディスクＩＤ・ハッシュ情報保持部２２２は、例えば、揮発性メモリ、または不揮発性メモリによって構成され、前記コンテンツハッシュを記録装置１３０に装填されている記録媒体に記録されている固有のディスクＩＤと前記コンテンツハッシュとを対応付けて保持するようになっている。
【００５４】
ハッシュ情報制御部２２３は、ディスクＩＤ判別部２２４を制御することによって、ディスクＩＤ・ハッシュ情報保持部２２２にコンテンツハッシュの入出力を行うようになっている。
【００５５】
ディスクＩＤ判別部２２４は、ハッシュ情報制御部２２３の制御に応じて、コンテンツハッシュをシステム制御部１４０を介して読み取られたディスクＩＤ、および前記記録媒体上の音楽データとコンテンツハッシュとを結びつける情報と対応付けてディスクＩＤ・ハッシュ情報保持部２２２へ書き込み、さらに記録装置１３０に装填されている記録媒体のディスクＩＤを判別し、判別したディスクＩＤ、および前記記録媒体上の音楽データとコンテンツハッシュとを結びつける情報に対応するコンテンツハッシュの読み出しを行うようになっている。
【００５６】
前記のように構成された情報記録再生装置２００では、コンテンツハッシュが実施形態１と同様にして生成され、パソコン４００に出力される。
【００５７】
また、記録装置１３０に装填されている記録媒体のディスクＩＤは、システム制御部１４０を介してユーザインターフェイス制御部２２０に出力され、ディスクＩＤ・ハッシュ情報保持部２２２に保持される。ハッシュ情報制御部２２３は、前記コンテンツハッシュを前記ディスクＩＤと対応付けて、ディスクＩＤ・ハッシュ情報保持部２２２に保持させる。
【００５８】
なお、複数の音楽データが続けてチェックアウトされる場合は、それぞれの音楽データのコンテンツハッシュが生成され、パソコン４００に出力されるとともに、前記ディスクＩＤと対応付けられ、ディスクＩＤ・ハッシュ情報保持部２２２に保持される。
【００５９】
また、例えば別の記録媒体に音楽データを複製するために、記録媒体が交換された場合には、前記と同様にして、コンテンツハッシュの生成、新しく装填された記録媒体のディスクＩＤの読み取りが行われ、コンテンツハッシュは、パソコン４００への出力される一方、前記ディスクＩＤ等の情報と対応付けられてディスクＩＤ・ハッシュ情報保持部２２２に保持される。
【００６０】
コンテンツハッシュを記憶させるためのディスクＩＤ・ハッシュ情報保持部２２２の空き容量がなくなった場合などには、例えば、コンテンツハッシュを削除することによって、最近使用した複数の記録媒体、使用頻度の高い複数の記録媒体、または使用者が選択した複数の記録媒体のコンテンツハッシュがディスクＩＤ・ハッシュ情報保持部２２２に残されるようにしてもよい。これにより、ディスクＩＤ・ハッシュ情報保持部２２２が適切なコンテンツに対してのコンテンツハッシュを保持でき、コンテンツハッシュの出力を高速化することが可能になる。
【００６１】
次に、チェックイン時の動作について説明する。本実施形態のチェックイン時の動作は、図２に示すフロー制御とほぼ同様の制御が行われるが、同図におけるＳ１０３のステップの動作が異なっている（本実施形態では、この制御ステップをＳ２０３とする。）。
【００６２】
すなわち、チェックインの開始により、Ｓ１０１、およびＳ１０２の動作が実施された後、Ｓ２０３では、システム制御部１４０を介して読み取られた前記ディスクＩＤがディスクＩＤ判別部２２４に出力される。ディスクＩＤ判別部２２４は、前記ディスクＩＤを判別する。そして、ディスクＩＤに対応するコンテンツハッシュがディスクＩＤ・ハッシュ情報保持部２２２から読み出され、ハッシュ情報制御部２２３に出力される。ハッシュ情報制御部２２３は、このコンテンツハッシュをＮｅｔＭＤ制御部１１０に出力する。
【００６３】
以上のＳ２０３の制御ステップが実施された後、前記Ｓ１０４の制御ステップが実施され、さらにパソコン４００によって、音楽データの同一性が確認される。
【００６４】
なお、複数の音楽データが続けてチェックインされる場合は、Ｓ１０１、Ｓ１０２、Ｓ２０３、Ｓ１０４の一連の制御ステップが複数回実施される。
【００６５】
前記のように、本実施形態においても、セキュリティ制御に要する時間を短縮し、システムの負担を軽減することが可能になる。また、何らかの原因で、コンテンツハッシュの生成に必要なデータが、削除された場合や、読み出せないような場合などでも、ディスクＩＤ・ハッシュ情報保持部２２２に保持されたコンテンツハッシュを出力することによって、チェックインできる。
【００６６】
しかも、記録媒体に固有のディスクＩＤによって記録媒体を識別するので、複数の記録媒体を交換して使用しても、交換した記録媒体の音楽データに対応したコンテンツハッシュの出力に要する時間を短縮することができる。
《発明の実施形態３》
本発明の実施形態３に係る情報記録再生装置３００は、前記のように、揮発性メモリ、または不揮発性メモリにコンテンツハッシュを保持するのではなく、音楽データが複製される記録媒体にコンテンツハッシュを記録する例である。なお、本実施形態には、交換可能な記録媒体、および交換不可能な記録媒体の何れの記録媒体も適用できる。
【００６７】
情報記録再生装置３００は、図４に示すように、実施形態１のユーザインターフェイス制御部１２０に代えて、コンテンツハッシュ算出部１２１、送受信部１２４、および送受信部１２５を有するユーザインターフェイス制御部３２０を備え、さらにシステム制御部１４０に代えてシステム制御部３４０を備えて構成されている。
【００６８】
このシステム制御部３４０は、情報入出力部１４１、送受信部１４２、ハッシュ情報保持部３４２、およびハッシュ情報制御部３４３を備えて構成されている。
【００６９】
ハッシュ情報保持部３４２は、例えば、揮発性メモリ、または不揮発性メモリによって構成され、前記コンテンツハッシュを一旦保持するようになっている。
【００７０】
ハッシュ情報制御部３４３は、ハッシュ情報保持部３４２に対するコンテンツハッシュの書き込み、および読み出しの制御を行い、さらに記録装置１３０の記録媒体からのコンテンツハッシュの読み出しを制御するようになっている。
【００７１】
このように構成された情報記録再生装置３００では、チェックアウトが行われる場合には、まず実施形態１と同様にして、コンテンツハッシュ算出部１２１によってコンテンツハッシュが生成される。生成されたコンテンツハッシュは、ＮｅｔＭＤ制御部１１０を介して、パソコン４００に出力されるとともに、ハッシュ情報制御部３４３の制御によってハッシュ情報保持部３４２に保持される。なお、複数の音楽データが続けてチェックアウトされる場合は、チェックアウトされるそれぞれの音楽データのコンテンツハッシュが前記のように生成され、パソコン４００に出力され、さらにハッシュ情報保持部３４２に保持される。
【００７２】
ハッシュ情報制御部３４３は、コンテンツハッシュの生成が終了した後に、情報入出力部１４１を介して、ハッシュ情報保持部３４２に保持されているコンテンツハッシュを記録装置１３０の記録媒体に記録する。
【００７３】
次に、チェックインが行われる場合の動作について説明する。
【００７４】
図５は、チェックイン時におけるパソコン４００、および情報記録再生装置３００の各構成要素間のフロー制御を示すものである。各制御ステップは、Ｓ２０１、Ｓ２０２．．．Ｓ２０９の順に実行され、各制御ステップの動作は、以下の通りである。
【００７５】
［Ｓ２０１］  ユーザインターフェイス制御部３２０は、システム制御部３４０に対し、コンテンツハッシュを要求する情報を送る
［Ｓ２０２］  システム制御部３４０は、ハッシュ情報制御部３４３を使用して、記録装置１３０の記録媒体に保持されていたコンテンツハッシュを読み出し、ハッシュ情報保持部３４２に保持させる。
【００７６】
［Ｓ２０３］  システム制御部３４０は、コンテンツハッシュの読み出し完了を示す所定の信号をユーザインターフェイス制御部３２０に出力する。
【００７７】
［Ｓ２０４］  パソコン４００は、ＮｅｔＭＤ制御部１１０に対し、コンテンツハッシュの出力を要求する。
【００７８】
［Ｓ２０５］  ＮｅｔＭＤ制御部１１０は、コンテンツハッシュの出力の要求をユーザインターフェイス制御部３２０に出力する。
【００７９】
［Ｓ２０６］  ユーザインターフェイス制御部３２０は、システム制御部３４０に対して、コンテンツハッシュの出力を要求する。
【００８０】
［Ｓ２０７］  ハッシュ情報制御部３４３は、前記の要求に応答して、ハッシュ情報保持部３４２からコンテンツハッシュを読み出し、ＮｅｔＭＤ制御部１１０に出力する。
【００８１】
［Ｓ２０８］  ユーザインターフェイス制御部３２０は、システム制御部３４０が出力したコンテンツハッシュをＮｅｔＭＤ制御部１１０に出力する。
【００８２】
［Ｓ２０９］  ＮｅｔＭＤ制御部１１０は、ユーザインターフェイス制御部３２０が出力したコンテンツハッシュをパソコン４００に出力する。
【００８３】
Ｓ２０９の制御ステップが実施された後、パソコン４００は、音楽データに対応付けて保存したコンテンツハッシュと情報記録再生装置３００（ＮｅｔＭＤ制御部１１０）が出力したコンテンツハッシュとを比較することによって、パソコンが保存している音楽データと記録媒体に記録された音楽データの同一性を確認する。
【００８４】
なお、複数の音楽データがチェックインされる場合には、Ｓ２０４以降の動作が繰り返される。
【００８５】
前記のように、本実施形態においても、セキュリティ制御に要する時間を短縮し、システムの負担を軽減することが可能になる。また、何らかの原因で、コンテンツハッシュの生成に必要なデータが削除された場合や、読み出せないような場合などでも、コンテンツハッシュさえ記録媒体から読み取ることができれば、チェックインできる。
【００８６】
しかも、音楽データが複製される記録媒体にコンテンツハッシュを保持させるので、情報記録再生装置内部のハッシュ情報保持部の容量に左右されることなく、複製した全ての音楽データについてのコンテンツハッシュを出力できる。
【００８７】
なお、記録媒体は、前記の実施形態で示したハードディスクやＭＤディスクに限られずコンテンツ等を記録できるものであればよい。
【００８８】
また、前記コンテンツは、音楽データに限られず、例えば、画像データなどでもよい。
【００８９】
また、複製を行う際の規格はＮｅｔＭＤ規格に限られず、コンテンツハッシュなどの一意情報を用いてコンテンツの特定を行うものであればよい。
【００９０】
また、パソコンと情報記録再生装置の接続に用いるインターフェースは、前記ＵＳＢに限られず、双方向でデータの送受信が可能なものであればよい。
【００９１】
また、前記実施形態は、再生機能を有しない装置に対して適用してもよい。
【産業上の利用可能性】
【００９２】
本発明に係る情報記録装置は、コンテンツハッシュなどの一意情報を出力する場合、逐一記録媒体からコンテンツを読み出して前記一意情報を生成する必要がないので、セキュリティ制御に要する時間を短縮し、システムの負担を軽減することが可能になり、さらに何らかの原因で、前記一意情報の生成に必要なデータが削除された場合や、読み出せないような場合などでも、前記一意情報を出力できるという効果を有し、記録媒体に記録されたコンテンツを特定するための一意情報を出力し、著作権保護のようなセキュリティ制御を行う情報記録装置等として有用である。
【図面の簡単な説明】
【００９３】
【図１】本発明の実施形態１の構成を示すブロック図である。
【図２】本発明の実施形態１のチェックイン時における、パソコン、および記録再生装置の各構成要素間のフロー制御を示す図である。
【図３】本発明の実施形態２の構成を示すブロック図である。
【図４】本発明の実施形態３の構成を示すブロック図である。
【図５】本発明の実施形態３のチェックイン時における、パソコン、および記録再生装置の各構成要素間のフロー制御を示す図である。
【符号の説明】
【００９４】
１００      情報記録再生装置
１１０      ＮｅｔＭＤ制御部
１２０      ユーザインターフェイス制御部
１２１      コンテンツハッシュ算出部
１２２      ハッシュ情報保持部
１２３      ハッシュ情報制御部
１２４      送受信部
１２５      送受信部
１３０      記録装置
１４０      システム制御部
１４１      情報入出力部
１４２      送受信部
２００      情報記録再生装置
２２０      ユーザインターフェイス制御部
２２２      ディスクＩＤ・ハッシュ情報保持部
２２３      ハッシュ情報制御部
２２４      ディスクＩＤ判別部
３００      情報記録再生装置
３２０      ユーザインターフェイス制御部
３４０      システム制御部
３４２      ハッシュ情報保持部
３４３      ハッシュ情報制御部
４００      パソコン
４１０      ＵＳＢケーブル
【図１】
2006190185.tif 000003
【図２】
2006190185.tif 000004
【図３】
2006190185.tif 000005
【図４】
2006190185.tif 000006
【図５】
2006190185.tif 000007